(57)【要約】      （修正有）【課題】生成した泡の肌理を細かくして、単に洗剤を泡立てるだけではなく、生成した泡で遊ぶことができるようにして幼児の入浴時における楽しさを倍化させることができる泡生成玩具を提供する。【解決手段】洗剤液ａを溜めておく容器１と、容器１内の洗剤液ａに空気を混合させる混合手段２と、混合手段２により洗剤液ａと空気とを混合させることにより生成される泡を吹き出す泡吹き出し口４とを備える。容器１と泡吹き出し口４との間には容器１内に生成された泡を容器１から泡吹き出し口４に導く通路３を設けた。容器１と泡吹き出し口４との間には少なくとも１つの濾過手段５を設けた。【選択図】図１
0003107200.tif 000002
【実用新案登録請求の範囲】
【請求項１】
以下の要件を備えることを特徴とする泡生成玩具。
（イ）上記泡生成玩具は、洗剤液を溜めておく容器と、該容器内の洗剤液に空気を混合させる混合手段と、該混合手段により洗剤液と空気とを混合させることにより生成される泡を吹き出す泡吹き出し口とを備えること
（ロ）上記容器と泡吹き出し口との間には容器内に生成された泡を容器から泡吹き出し口に導く通路を設けたこと
（ハ）上記容器と泡吹き出し口との間には少なくとも１つの濾過手段を設けたこと
【請求項２】
前記泡吹き出し口の径は前記通路の径よりも大きくし、且つ所要の容積を有する筒状部材から構成される、請求項１記載の泡生成玩具。
【考案の詳細な説明】
【技術分野】
【０００１】
本考案は、泡生成玩具、詳しくは容器内に溜めた洗剤液に空気を混合させて泡を発生させる泡生成玩具に関するものである。
【背景技術】
【０００２】
従来、洗剤液に空気を混合させ泡を生成する装置が提案されている（例えば、特許文献１）。この装置は、本体内で洗剤液と空気を混合させることで泡を生成し、生成した泡を吐き出す泡吐き出し口をスリット形状にすることにより、泡を泡吐き出し口から吐き出す際、その吐き出し速度を速めることができるので、斑の発生を抑えることができるようにしたものである。
【特許文献１】特開２００１−３４７１９２号公報
【考案の開示】
【考案が解決しようとする課題】
【０００３】
本考案が解決しようとする問題点は、上述の装置で生成した泡は、斑の発生を抑えることができるようにしても、本体内で生成した泡のサイズはスリットを通過する際に多少小さくなっても、ほとんど泡のサイズが変わらないので肌理は粗く、泡を使った遊びに適用するには無理がある点であった。
【０００４】
本考案は、上記問題点を解決し、生成した泡の肌理を細かくして、単に洗剤を泡立てるだけではなく、生成した泡で遊ぶことができるようにして幼児の入浴時における楽しさを倍化させることができる泡生成玩具を提供することを課題とする。
【課題を解決するための手段】
【０００５】
前記課題を解決するために本考案に係る泡生成玩具は、以下の要件を備えることを特徴とする。
（イ）上記泡生成玩具は、洗剤液を溜めておく容器と、該容器内の洗剤液に空気を混合させる混合手段と、該混合手段により洗剤液と空気とを混合させることにより生成される泡を吹き出す泡吹き出し口とを備えること
（ロ）上記容器と泡吹き出し口との間には容器内に生成された泡を容器から泡吹き出し口に導く送出路を設けたこと
（ハ）上記容器と泡吹き出し口との間には少なくとも１つの濾過手段を設けたこと
【０００６】
なお、前記泡吹き出し口の径は前記通路の径よりも大きくし、且つ所要の容積を有する筒状部材から構成されることが好ましい。
【考案の効果】
【０００７】
請求項１の考案によれば、容器内に溜めた洗剤液に空気を混合させて生成した泡を、複数の濾過手段を通過させて泡吹き出し口から吹き出させるので、容器内で生成された泡が濾過手段を通過するたびに細かくなり、泡吹き出し口から吹き出される時には肌理が細かく、消えにくいしっかりした泡にすることができ、本来の使用目的である洗剤として使用する前に、生成された泡で遊ぶことができる泡生成玩具を提供することができる。
【０００８】
請求項２の考案によれば、通路を通過してきた泡が広い空間に押し出されて成型されるので、安定した状態で泡を放出することができる。
【考案を実施するための最良の形態】
【０００９】
泡生成玩具を水又は湯を洗剤液に混合して溜める容器と、該容器内の洗剤液に空気を混合させる混合手段と、該混合手段により容器内に生成した泡を吹き出す泡吹き出し口とで構成するとともに、上記容器と泡吹き出し口との間には容器内に生成された泡を容器から泡吹き出し口に導く送出路を設け、この上記送出路には複数の濾過手段を設け、容器内で生成された泡を複数の濾過手段を透過させることにより、肌理の細かい泡を吹き出すようにした。
【実施例１】
【００１０】
図１は、本考案に係る泡生成玩具の一例を示し、この泡生成玩具は内部に水又は湯と洗剤とを混合して洗剤液ａとして溜める容器１と、この洗剤液ａに空気を混合させる混合手段２と、この混合手段２により洗剤液ａと空気とを混合させて容器１内に泡ｂを生成させ、生成した泡を通路３を通して泡吹き出し口４から吹き出させるようにしたもので、上記容器１と泡吹き出し口４との間に複数の濾過手段５を配置したものである。
【００１１】
混合手段２はエアーポンプ６と、エアーポンプ６の送気口７に接続された通路８の先端に取り付けられたエアストーン９とで構成され、上記エアーポンプ６は操作ボタン１０を押し操作することにより電源スイッチ１１がＯＮし、内装したモータが作動して吸気口１２から空気を吸い込み、送気口７から空気を吹き出すようになっている公知のエアーポンプで構成されればよく、エアーポンプ６から通路８を通った空気はエアストーン９から細かく分散されて噴き出され、洗剤液ａを泡立てることになる。
【００１２】
生成された泡ｂは洗剤液ａの上に堆積し、容器１内に充満すると、エアーポンプ６で継続して送り込まれた空気で、徐々に容器１の上部から泡吹き出し口４に向かって送り出されることになる。
【００１３】
容器１と泡吹き出し口４との間には濾過手段５が設けてある。この濾過手段５は、容器１の出口に設けた第１の濾過手段５ａと、泡吹き出し口４に設けた第２の濾過手段５ｂとの２つの濾過手段５からなり、本実施例では、何れの濾過手段５ａ、５ｂも細かい網目のフィルターで構成した。
【００１４】
第１の濾過手段（第１のフィルター）５ａは、上仕切り板１４と下仕切り板１５との間に配置され、キャップ１６で容器１の開口部１ａを塞ぐように固定されている。一方、第２の濾過手段（第２のフィルター）５ｂは、通路３の先端に取り付けられた後筒部１７に嵌装された筒体１８と、前筒部１９との間に配置され、フィルター５ｂで濾過された泡ｂは先端の筒体２０から押し出されるようになっている。
【００１５】
なお、通路３を通って筒体１８内に押し出された泡ｂは、狭い通路３に比べて広い筒体１８内に放出されることにより泡が成型され、細い通路から押し出されたり、泡の放出口のみを広くしたものに比べ安定した形状で泡を吹き出すことができる。
【００１６】
上記構成の泡生成玩具によれば、容器１内にヘアシャンプーやボディシャンプーなどの洗剤に水若しくは湯を混合させた洗剤液ａを溜め、操作ボタン１０を押し操作するとエアーポンプ６が作動して空気が洗剤液ａの中に配置されたエアストーン９から細かくなって吐き出されて泡ｂが生成される。この泡ｂは洗剤液ａの上面に徐々に堆積し、容器１内の空間が泡ｂで充満すると、この泡ｂは容器１の上部から泡吹き出し口４に向かって押し出されることになる。
【００１７】
容器１の上部には第１の濾過手段（フィルター）５ａが配置されているので、このフィルター５ａを通過する際に細かな泡となって通路３に押し出される。通路３に押し出された泡ｂ泡吹き出し口４まで到達すると、この泡吹き出し口４には第２の濾過手段（フィルター）５ｂが配置されているので、このフィルター５ｂを通過する際に、再度細かな泡となって、押し出されることになる。
【００１８】
容器１内で生成された泡は、濾過手段（フィルター）５を通過するたびに細かい泡になるので、泡吹き出し口４から吹き出されるときには肌理の細かい、しっかりした泡となって吹き出されることになり、洗剤液ａの中に空気を送り込んで泡立てた際にはシャボン玉のような非常に粗いブクブクした状態の泡であるが、濾過手段（フィルター）５を通過するたびに泡ｂの細分化が行なわれ、肌理の細かい、消えにくいしっかりした泡ｂを形成することができる。
【００１９】
なお、本実施例ではフィルターを２段に設けたが、必ずしも２段である必要はなく、フィルター５ａのみであっても構わない。
【００２０】
上述の泡生成玩具によれば、生成した泡ｂは肌理が細かく、しっかりしているので手にとって雪だるまのような形状にしたり、図３に示すように、泡ｂをカップ２１に盛り付けてソフトクリームのような形状にしてスプーン２２ですくって髪に付けたりすることが可能になる。また、図４（ａ）（ｂ）に示すように、眉毛にしたり、花冠にしたりして遊ぶことが可能になり、洗剤の本来の使用目的である洗髪や身体の洗浄をする前に、生成した泡を遊びに使用することができ、年少者にとっては入浴時の楽しみが増し、頭髪の洗浄なども嫌がることがなく、入浴を楽しみにさせることができる泡生成玩具を実現することができる。
【図面の簡単な説明】
【００２１】
【図１】本考案に係る泡生成玩具の一例を示す斜視図
【図２】上記泡生成玩具を説明する構成図
【図３】上記泡生成玩具の使用状態説明図
【図４】（ａ）（ｂ）は、上記泡生成玩具で生成した泡の使用態様説明図
【符号の説明】
【００２２】
１    容器
２    混合手段
３    通路
４    泡吹き出し口
５    濾過手段
【図１】
0003107200.tif 000003
【図２】
0003107200.tif 000004
【図３】
0003107200.tif 000005
【図４】
0003107200.tif 000006